(57)【特許請求の範囲】
【請求項１】
天板の少なくとも左右の側部分を脚部材で支持する如くなされた支持台であって、
該脚部材は建築用ブロックを以て構成され、該建築用ブロックは、垂直面を呈する前後の垂直側面を水平方向に貫通する貫通孔が設けられてなり、該建築用ブロックの上面で前記天板の下面を支持する如くなされ、
又、棒状固定部材が前記貫通孔に水平方向に挿通されると共にその両端部分が、前記前後の垂直側面から突出する固定部とされており、該前後の固定部の夫々には、上下方向に貫通する固定挿通孔が設けられており、
又、前記天板は、前記前後の垂直側面の外方に張り出す張出し部分を有しており、前記前後の固定挿通孔の夫々を挿通するネジ軸部材の上部分が前記張出し部分に支持される如くなされ、該ネジ軸部材の、前記固定部の下方に突出したネジ軸部にナットが螺合され締め付けられることによって前記天板が前記脚部材に固定されることを特徴とする支持台。
【請求項２】
前記建築用ブロックの上面には、前後方向に連続する凹溝が設けられており、該上面の内の該凹溝を挟む左右部分が前記天板の水平な下面に当接し、該下面と該凹溝とによって、前後方向に連続する通気路が形成されることを特徴とする請求項１記載の支持台。
【請求項３】
木製の天板の少なくとも左右の側部分を脚部材で支持する如くなされた、ベンチとして用いられる支持台であって、
該脚部材は建築用ブロックを以て構成され、該建築用ブロックは、垂直面を呈する前後の垂直側面を水平方向に貫通する貫通孔が設けられてなり、該建築用ブロックの上面で前記天板の下面を支持する如くなされ、
又、木製の棒状固定部材が前記貫通孔に水平方向に挿通されると共にその両端部分が、前記前後の垂直側面から突出する固定部とされており、該前後の固定部の夫々には、上下方向に貫通する固定挿通孔が設けられており、
又、前記天板は、前記前後の垂直側面の外方に張り出す張出し部分を有しており、前記前後の固定挿通孔の夫々を挿通するネジ軸部材の上部分が、前記張出し部分にその下面側からねじ込まれることによって支持される如くなされ、該上部分の上端は前記天板の上面から突出しないようになされると共に、該ネジ軸部材の、前記固定部の下方に突出したネジ軸部にナットが螺合され締め付けられることによって前記天板が前記脚部材に固定されることを特徴とする支持台。
【請求項４】
前記脚部材をその周方向で覆う化粧カバーを具えることを特徴とする請求項１、２又は３記載の支持台。
【発明の詳細な説明】
【技術分野】
【０００１】
本発明は、ベンチ等として用いられる支持台に関するものである。
【背景技術】
【０００２】
例えば公園等の屋外で使用されるベンチは、従来、比較的軽量であって、持ち去られたり、場所が移動されたりする恐れがあったため、その脚部材を地中に埋め込んで固定したり、或いは、地中に埋設したアンカー部にその脚部材を固定することが多い。このようなベンチの一例として、例えば特許文献１、２、３記載のものが提供されている。
【０００３】
しかし、従来のこの種のベンチは、その脚部材を構成するに際して、何種類もの部材を用いると共に部材相互を溶接したりボルト固定しなければならない等、各種部材の設計製作を要し又多大の組立て手間を要して、製造コストの上昇を招く問題があった。加えて、脚部材が軽量でベンチ全体が比較的軽量であったために、ベンチが持ち去られたりしないようにするため、脚部材を地面に埋め込んで固定したり、或いは、地中に埋設したアンカー部に該脚部材を固定する等の土木工事も必要とした。かかることから、ベンチを設置する際の施工コストが高くつく問題もあった。又、該脚部材が鉄製である場合は腐食し易く、ベンチの耐久性に問題があった。
【先行技術文献】
【特許文献】
【０００４】
【特許文献１】特開２０１０−１３６８３２号公報
【特許文献２】特開２００３−０００３８７号公報
【特許文献３】特開２００６−１９２０９５号公報
【発明の概要】
【発明が解決しようとする課題】
【０００５】
本発明は、前記従来の問題点に鑑みて開発されたものであり、簡易且つコスト低減を図って構成できると共に、安定状態で簡易に設置でき、しかも強度的安定性にも優れる支持台の提供を課題とするものである。
【課題を解決するための手段】
【０００６】
前記課題を解決するため、本発明は以下の手段を採用する。
即ち本発明に係る支持台は、天板の少なくとも左右の側部分を脚部材で支持する如くなされた支持台であって、該脚部材は建築用ブロックを以て構成され、該建築用ブロックは、垂直面を呈する前後の垂直側面を水平方向に貫通する貫通孔が設けられてなり、該建築用ブロックの上面で前記天板の下面を支持する如くなされている。又、棒状固定部材が前記貫通孔に水平方向に挿通されると共にその両端部分が、前記前後の垂直側面から突出する固定部とされており、該前後の固定部の夫々には、上下方向に貫通する固定挿通孔が設けられている。又、前記天板は、前記前後の垂直側面の外方に張り出す張出し部分を有しており、前記前後の固定挿通孔の夫々を挿通するネジ軸部材の上部分が前記張出し部分に支持される如くなされ、該ネジ軸部材の、前記固定部の下方に突出したネジ軸部にナットが螺合され締め付けられることによって前記天板が前記脚部材に固定されることを特徴とするものである。
【０００７】
該支持台において、前記建築用ブロックの上面に、前後方向に連続する凹溝を設け、該上面の内の該凹溝を挟む左右部分を前記天板の水平な下面に当接させ、該下面と該凹溝とによって、前後方向に連続する通気路を形成するのがよい。
【０００８】
前記支持台をベンチとして応用する場合、該支持台を次のように構成すると好ましい。即ち、木製の天板の少なくとも左右の側部分を脚部材で支持する如くなされた、ベンチとして用いられる支持台であって、該脚部材は建築用ブロックを以て構成され、該建築用ブロックは、垂直面を呈する前後の垂直側面を水平方向に貫通する貫通孔が設けられてなり、該建築用ブロックの上面で前記天板の下面を支持する如くなされている。又、木製の棒状固定部材が前記貫通孔に水平方向に挿通されると共にその両端部分が、前記前後の垂直側面から突出する固定部とされており、該前後の固定部の夫々には、上下方向に貫通する固定挿通孔が設けられている。又、前記天板は、前記前後の垂直側面の外方に張り出す張出し部分を有しており、前記前後の固定挿通孔の夫々を挿通するネジ軸部材の上部分が、前記張出し部分にその下面側からねじ込まれることによって支持される如くなされ、該上部分の上端は前記天板の上面から突出しないようになされると共に、該ネジ軸部材の、前記固定部の下方に突出したネジ軸部にナットが螺合され締め付けられることによって前記天板が前記脚部材に固定されることを特徴とするものである。
【０００９】
前記の各支持台において、前記脚部材をその周方向で覆う化粧カバーを具える如く構成するのがよい。
【発明の効果】
【００１０】
本発明は以下の如き優れた効果を奏する。
(1) 本発明に係る支持台は、天板の少なくとも左右の側部分を脚部材で支持する如くなされており、該天板と該脚部材とを、棒状固定部材とネジ軸部材とナットを用いて連結一体化する構成を採用することとし、且つ、該脚部材としては市販の建築用ブロックを用い、その水平な上面で該天板の下面を支持すると共に、該建築用ブロックが元々有している貫通孔を利用して該貫通孔に該棒状固定部材を挿通することとしている。
従って本発明によるときは、ベンチやテーブル、栽培棚等として利用し得る支持台を、簡易に且つコスト低減を図って、しかも強度的安定性に優れたものとして構成できることとなる。又、該建築用ブロックは各部の寸法が規格化されており、且つ、ブロックの上下の面が水平であるため、上面が水平を呈した精度のよい支持台を簡易に構成できることとなる。
【００１１】
(2) そして該支持台は、その脚部材を構成する建築用ブロックが重量物であり、これが前記天板の少なくとも左右の側部分に設けられているため、該支持台は、全体重量が大きい。このように全体重量が大きいために、脚部材を地面等に単に載置するだけで支持台を安定的に設置できる。従って、該支持台が、特に公園等の屋外に設置されるベンチとして応用された場合は、強風時にも容易に転倒しない。
又、その全体重量が大きいために容易には持ち上げることができないので、持ち去られる恐れが少なく、従って、特許文献１、２、３が開示する従来のベンチのように該脚部材を地中に埋め込んだり、或いは、地中に埋設したアンカー部に前記脚部材を連結する等の特別な土木工事を必要とせず、設置上の施工コストの低減も期し得る。
【００１２】
(3) 前記ネジ軸部材の上部分を前記張出し部分にその下面側からねじ込むこととし、該上部分の上端が天板の上面から突出しないように構成するときは、該天板の上面に該上部分が露出することがない。然も、該ネジ軸部材の下方向への突出部分が、庇状の前記張出し部分によって上側から覆い隠されるため、ネジ軸部材による脚部材への天板の固定部分が上側から目視されない。かかることから支持台の美感向上を期し得る。
【００１３】
(4) 又、該ネジ軸部材の下方向への突出部分が庇状の前記張出し部分によって上側から覆い隠されるため、該固定部分に降雨が掛かりにくく、従って、ネジ軸部材が錆びにくい。  
【００１４】
(5) 特に、前記天板を木製とし且つ前記ネジ軸部材の上部分をネジ軸部としたときは、該ネジ軸部材の上部分をねじ込みによって天板に容易に支持させることができる。かかることから、支持台の組立てを作業性よく行うことができる。
【００１５】
(6) 本発明に係る支持台は、脚部材に対する天板の固定をナットの締め付けによって行うため、該支持台のメンテナンスは、緩んだナットを締め直す程度で済み、簡易である。しかも、使用するナットの個数が少なくて済むためメンテナンスの手間もかからない。例えば図１〜２に示すベンチにあっては、締め直すナットの個数は合計４個と少ない。
【００１６】
(7) 脚部材の上面（建築用ブロックの上面）に、前後方向に連続する凹溝が設けられるときは、該凹溝によって、左右方向に連続する通気路が形成される。従って、該通気路における良好な通気性により、該上面と前記天板の下面との当接部分に水分が介在するときも、該水分が乾燥されやすい。
本発明に係る支持台が特にベンチとして応用されて屋外に設置されるときは、前記脚部材の上面と前記天板の下面との当接部分に風雨によって水分が介在し易いが、このように水分が乾燥されやすいことは、該当接部分の汚損や天板の腐食等を防止できるために好都合である。
【００１７】
(8) 本発明に係る支持台が、前記脚部材をその周方向で覆う化粧カバーを具えるときは、例えば各種のイベントにおいて、該化粧カバーによって季節感を出す等、その場に相応しい所望デザインの支持台を構成できることとなる。
【図面の簡単な説明】
【００１８】
【図１】本発明に係る支持台を上側から見た斜視図である。
【図２】本発明に係る支持台を下側から見た斜視図である。
【図３】本発明に係る支持台を地面に設置した状態で示す正面図である。
【図４】本発明に係る支持台を示す分解斜視図である。
【図５】天板と脚部材とを連結一体化するための固定手段を説明する斜視図である。
【図６】天板と脚部材とをネジ軸部材とナットを用いて連結一体化した状態を示す側面図である。
【図７】天板を裏返しにして、ネジ軸部材の上のネジ軸部を張出し部分にねじ込んだ状態を示す斜視図と、該ネジ軸部材を用いて該天板と該脚部材とを連結した状態を示す斜視図である。
【図８】ネジ軸部材の他の態様を使用状態で示す断面図である。
【図９】脚部材が化粧カバーで覆われてなる支持台を示す正面図と、化粧カバーによって脚部材を周方向で覆った状態を示す断面図である。
【図１０】脚部材が化粧カバーで覆われてなる支持台を示す斜視図と断面図である。
【図１１】天板の下側部分の全体を化粧カバーで覆った状態を示す正面図である。
【図１２】別タイプの建築用ブロックを用いて構成された支持台を示す部分正面図である。
【図１３】別タイプの建築用ブロックを用いて構成された支持台の他の態様を示す部分正面図である。
【図１４】別タイプの建築用ブロックを用いて構成された支持台のその他の態様を示す斜視図と断面図である。
【発明を実施するための形態】
【実施例１】
【００１９】
図１〜３において本発明に係る支持台１はベンチ１ａとして応用されており、木製の天板２の少なくとも左右の側部分３，３を脚部材５，５で支持してなり、該天板２と該脚部材５とは、棒状固定部材６とネジ軸部材７とナット９を用いて連結一体化されている。
【００２０】
該天板２は、本実施例においては集成材の一枚板を用いて構成されており、その形状や各部の寸法は、ベンチとして必要な機能や強度を考慮して設定されている。本実施例においては、該天板２は例えば長方形板状を呈し、その厚さは約４５ｍｍに設定され、その長辺長さは約１９０ｃｍ、その短辺長さは約３０ｃｍに設定されている。該天板２の重量は例えば１０〜１６ｋｇ程度である。該天板２は、適宜、塗装や防腐処理を施すことによって、耐湿性や耐朽性を高めることができる。
【００２１】
前記脚部材５は、ブロック塀等の構築に一般的に用いられているＪＩＳ規格のコンクリート製の建築用ブロック５ａを用いて構成されている。本実施例においては図１〜５に示すように、上下に長い直方体状を呈し、長辺側の前後の垂直側面１０，１０を水平方向に貫通する貫通孔１１が上下３段に設けられている。そして、該建築用ブロック５ａの水平な下面１２の中央部分には、左右方向に連続するＵ字状の凹溝１３が形成されると共に、該建築用ブロック５ａの水平な上面１４の中央部分には、左右方向に連続するＵ字状の凹溝１５が形成されており、該凹溝１５の上端の両側に形成されている、水平を呈し且つ同高さの前後の上端面１４ａ，１４ａで、前記天板２の下面１６を支持する如くなされている。該脚部材５の重量は、建築用ブロック５ａの左右幅（厚さ）Ｌ１（図５）の大小によって異なるが、１０〜１８ｋｇ程度である。本実施例においては、左右幅Ｌ１が１５０ｍｍ、高さが３９０ｍｍで重量が約１４ｋｇのものを用いている。
【００２２】
前記棒状固定部材６は、図１〜６に示すように、横断面が正方形状を呈して左右方向に長い棒状の、例えば木製部材であり、前記上段の貫通孔１１ａに水平方向に挿通されると共にその両端部分が、前記左右の垂直側面１０，１０から突出した固定部１７，１７（図５〜６）とされている。該固定部１７，１７の該垂直側面１０，１０からの突出長さは、例えば５５ｍｍ程度に設定される。そして該左右の固定部１７，１７の夫々には、上下方向に貫通する固定挿通孔１９，１９（図５〜６）が設けられ、該固定挿通孔１９，１９の径は、例えば８ｍｍ程度に設定されている。
【００２３】
前記ネジ軸部材７は、例えば図５に示すように、上下に長い鋼製の軸部２０の上部分２１が上のネジ軸部２１ａとされると共に、その下端側部分が下のネジ軸部２２とされている。又その中間部分には、対向側が平坦につぶされることによって、該ネジ軸部材７を回転操作するための角柱状部２３が設けられている。
【００２４】
そして前記天板２は、図６に示すように、前記前後の垂直側面１０，１０の外方に張り出す張出し部分２５，２５（図６）を有しており、前記固定挿通孔１９を挿通する前記ネジ軸部材７の上のネジ軸部２１ａ（上部分２１）が、前記角柱状部２３をプライヤ等の工具で把持して回転させながら該張出し部分２５にその下面１６側からねじ込まれる。本実施例においては、図６に示すように、前記上のネジ軸部２１ａ（前記上部分２１）の上端２７は前記天板２の上面２８から突出しないようになされている。
【００２５】
前記ネジ軸部材７の前記上のネジ軸部２１ａを前記張出し部分２５にねじ込む作業は、例えば図７（Ａ）に示すように、前記天板２を裏返しにした状態で行うことができる。このように裏返しにすると、前記下面１６側が上向きの状態となる。このねじ込みは、例えば、所要部位にドリルで下孔を明けて後、該下孔に前記上のネジ軸部２１ａの先側部分をハンマーで打ち込んで後、前記角柱状部２３をプライヤ等の工具で把持して回転させて該上のネジ軸部２１ａをねじ込んで行うことができる。
【００２６】
このようにして、前記張出し部分２５，２５の裏面２９で前記ネジ軸部材７，７を立設状態にして後、図７（Ｂ）に示すように、前記建築用ブロック５ａ（脚部材５）を、前記天板２の、上向きの裏面３４（前記下面１６）の所要部分に載置する。その際、前記棒状固定部材６を下端の貫通孔１１（前記上段の貫通孔１１ａ）に挿通させると共にその両端部分としての固定部１７，１７を前記前後の垂直側面１０，１０から突出した状態にしておき、該前後の固定部１７，１７の夫々に設けられている前記固定挿通孔１９，１９（図４）に、前記前後のネジ軸部材７，７の対応のものを挿通させることとする。このようにして建築用ブロック５ａを天板２の、上向きの裏面３４に載置した後、該前後の固定部１７，１７の上方に突出したネジ軸部３８（前記下のネジ軸部２２）の夫々に、図７（Ｃ）に示すように、座金３０，３０（図５〜６）を介して前記ナット９，９を螺合し締め付ける。該ナット９，９の締め付け作業は、下向きの楽な姿勢で容易に行うことができる。その後、脚部材５，５が固定されてなる天板２を反転させることにより、図１に示すような、適当高さのベンチ１ａを構成できる。
【００２７】
該ベンチ１ａを構成する他の作業工程としては、図７（Ａ）に示すと同様にして、前記張出し部分２５，２５の裏面２９で前記ネジ軸部材７，７を立設状態にして後、前記天板２を反転し、図６に示すように、前記ネジ軸部材７，７の軸部２０，２０を該天板２の下方向に突出状態とする。この状態で、前記下のネジ軸部２２，２２を、前記左右の固定部１７，１７の夫々に設けられている前記固定挿通孔１９，１９に下方向に挿通させ、図６に示すように、該固定部１７，１７の下方に突出した下のネジ軸部２２，２２に、座金３０，３０を介して前記ナット９，９を螺合し締め付ける。これによって、前記天板２と前記脚部材５とは、棒状固定部材６とネジ軸部材７とナット９を介して連結一体化される。この連結一体化の際、前記ナット９の螺合、締め付けは、図６に示すように、前記垂直側面１０から突出した固定部１７で行うことができるので、該ナット９の締め付け作業を容易に行うことができる。
【００２８】
このように本発明によるときは、前記天板２と前記脚部材５とを、少ない構成部材を以て簡易に然も確実に連結できる。
【００２９】
そして本実施例においては、図６に示すように、前記ネジ軸部材７の上のネジ軸部２１ａを前記張出し部分２５にその下面１６側からねじ込むこととし、上のネジ軸部２１ａの上端２７が該天板２の上面２８から突出しないように構成しているため、天板２の上面２８に上のネジ軸部２１ａが露出することがなく、然も、該ネジ軸部材７の下方向への突出部分３１が、庇状の前記張出し部分２５によって上側から覆い隠されるため、該ネジ軸部材７による、脚部材５への天板２の固定部分３２が上側から目視されず、ベンチ１ａの美感向上が図られる。又、該ネジ軸部材７の下方向への突出部分３１が、庇状の前記張出し部分２５によって上側から覆い隠されるため、該固定部分３２に降雨が掛かりにくく、ネジ軸部材７が錆びにくい。そして、このようにして構成されたベンチ１ａ（支持台１）の脚部材５はコンクリート製であるため、従来ベンチにおける金属製や木製の脚部材とは異なり劣化しにくい。
【００３０】
又本実施例においては、前記棒状固定部材６を上段の貫通孔１１ａに挿通させる構成を採用しているため、前記天板２と前記脚部材５とを固定するためのネジ軸部材７の長さが短くて済む経済性が得られると共に固定の安定性向上が図られる。
【００３１】
そして、このようにして天板２と脚部材５とを連結することにより、前記建築用ブロック５ａとして高さが３９０ｍｍのものを用いているため、図１、図３に示すように適当高さのベンチを構成できる。そして図２〜３、図６に示すように、前記水平な上端面１４ａ，１４ａが前記天板２の水平な下面１６に当接し、該下面１６と前記凹溝１５とによって、左右方向に連続する通気路３３が形成される。
【００３２】
かかる構成を有するベンチ１ａは、その脚部材５を構成する建築用ブロック５ａがコンクリート製の重量物であり、これが、前記天板２の少なくとも左右の側部分３，３に設けられているため、該ベンチ１ａは、その天板２の重量も含めると例えば３３〜４４ｋｇ程度の重量物として構成できる。従って該ベンチ１ａは、その全体重量が大きいために容易には持ち上げることができない。それ故、該ベンチ１ａは、公園等の屋外に設置されるベンチであるときも、それが持ち去られたり或いは場所が移動されたりする恐れがない。従って、持ち去られたり場所が移動されたりしないようにする目的で、特許文献１、２、３が開示する従来のベンチのように該脚部材５を地中に埋め込んだり、或いは、地中に埋設したアンカー部に該脚部材５を連結する等の特別な土木工事を必要とせず、両脚部材５，５を地面３５に単に載置するだけで該ベンチ１ａを安定的に設置できる。そして、該ベンチ１ａは前記のように重量物であることから強風時にも容易に転倒しない。仮に転倒しても、飛んでいかない。
【００３３】
このように屋外で設置されたベンチ１ａは、前記のように、天板２の下面１６と前記凹溝１５とによって、左右方向に連続する通気路３３が形成されているため、前記天板２の下面１６と前記脚部材５の上端面１４ａとの当接部分３６に雨水等の水分が介在した場合、該雨水は該通気路３３における良好な通風性によって、乾燥されやすい。なお本実施例においては、図１、図６に示すように、前記脚部材（建築用ブロック５ａ）５の水平な下面１２にも凹溝１３が設けられている。そのため該脚部材５が例えばコンクリート面やアスファルト面等の平坦面３４に設置された場合、図６に示すように、該平坦面３４と該脚部材５との間に排水路３８を形成できる。従って、該平坦面３４を清掃する際や降雨時に、ベンチ周辺の平坦面の汚れを該排水路３８を通して排除させやすい。
【実施例２】
【００３４】
本発明は、前記実施例で示したものに限定されるものでは決してなく、「特許請求の範囲」の記載内で種々の設計変更が可能であることはいうまでもない。その一例を挙げれば次のようである。
【００３５】
(1) 図８は、前記天板２と前記脚部材５とを連結一体化させる他の構成を示すものである。該天板２の前記張出し部分２５の左右の側部分３，３に、ネジ軸部３７の上端に係合頭部３９が設けられてなるネジ軸部材７の該ネジ軸部３７を挿通させる貫通孔４０，４０が上下方向に貫通する如く設けられており、該貫通孔４０の上部分は、前記係合頭部３９を納めるための拡大孔４１とされている。そして、該貫通孔４０を上下方向に挿通した前記ネジ軸部３７は、前記と同様にして、前記固定部１７の前記固定挿通孔１９に挿通され、該固定部１７の下方に突出したネジ軸部３７に、座金２９を介してナット９が螺合され締め付けられることによって、前記ネジ軸部材７の上部分２１が前記張出し部分２５に支持され、該天板２と該脚部材５とが連結一体化されている。この場合、図８に示すように、前記拡大孔４１に前記係合頭部３９が納められた状態で、該拡大孔４１の、該係合頭部３９よりも上側部分４２を、木栓等の栓体４３で塞ぐこともある。又、該係合頭部３９はナットのこともある。
【００３６】
(2) 本発明に係る支持台１は、植木鉢やプランタ等を載せて植物を栽培するための栽培棚として利用することができる他、テーブルや簡易ベッド等として利用することもできる。又、複数台の支持台を前後方向や左右方向に並置することにより、屋外ステージや桟敷等として利用できる、広い上面を有した支持台並設体を構成できる。
【００３７】
(3) 前記天板２の素材は、支持台１の利用目的に合わせて所要に選択できる。例えば、木質材や金属、樹脂或いはこれらの複合材を所要に選択して、所要の天板２を構成できる。  
【００３８】
(4) 図９〜１０は、前記支持台１を化粧カバー４５でカバーする場合の一例を示すもので、該支持台１を地面等に設置したままの状態でカバーする態様であり、木目調模様等の所要の模様が施された化粧カバー４５で前記脚部材５を周方向に筒状に覆ってなる。該化粧カバー４５は、例えば図９（Ｂ）に示すように、面状フアスナ４６を用いて、前記脚部材５に取り替え可能に取り付けることができる。図９〜１０においては、該化粧カバー４５の前後の上部分４７，４７に、前記前後の固定部１７，１７や前記前後のネジ軸部材７，７を逃がすための開口部４９，４９が設けられている。
【００３９】
図１１は、前記支持台１を地面等に設置したままの状態でカバーする場合の他の態様を示すものであり、前記天板２の下側の部分の全体を周方向に、前記化粧カバー４５で覆った状態を示している。
【００４０】
前記支持台１を化粧カバー４５でカバーする場合、前記脚部材５を持ち上げる場合は、該脚部材５を靴下状の化粧カバーに嵌め入れて該脚部材５をカバーしたり、腹巻状の化粧カバーでカバーすることができる。そしてこれらの場合も、該化粧カバーの前後の上部分に、前記と同様構成の開口部４９を設けることができる。
【００４１】
(5) 前記天板２は、支持台１の利用目的に応じて各種形態や各種の寸法で構成できる。
【００４２】
(6) 前記脚部材５を構成する建築用ブロック５ａは、図１２に示すように、その上面１４を、前記凹溝１５を有さない水平な平坦面５０として構成し、該平坦面５０で前記天板２の下面１６を支持する如く構成されることもある。その他、例えば図１３に示すように、別途の建築用ブロック５ａを脚部材５として用いることもできる。該脚部材５ａは、その上面に凹溝１５を有すると共に下面１２は水平な平坦面に形成されている。
【００４３】
(7) 図１４は、高さが前記の半分である建築用ブロック５ａを脚部材５として用いて支持台１を構成した場合を示す。
【００４４】
(8) 前記脚部材５は、ベンチ等の支持台１の利用目的に合わせてその支持の安定性を考慮し、該天板２の左右方向の中間部分にも配設されることがある。
【符号の説明】
【００４５】
１  支持台
１ａ  ベンチ
２  天板
５  脚部材
６  棒状固定部材
７  ネジ軸部材
９  ナット
１０  垂直側面
１１  貫通孔
１２  建築用ブロックの下面
１４  建築用ブロックの上面
１４ａ  上端面
１５  凹溝
１６  天板の下面
１７  固定部
１９  固定挿通孔
２０  軸部
２１  上部分
２２  ネジ軸部
２５  張出し部分
２７  上ネジ軸部の上端
２８  天板の上面
３３  通気路
３５  地面
３６  当接部分
４５  化粧カバー
【図１】
0005492265.tif 000002
【図２】
0005492265.tif 000003
【図３】
0005492265.tif 000004
【図４】
0005492265.tif 000005
【図５】
0005492265.tif 000006
【図６】
0005492265.tif 000007
【図７】
0005492265.tif 000008
【図８】
0005492265.tif 000009
【図９】
0005492265.tif 000010
【図１０】
0005492265.tif 000011
【図１１】
0005492265.tif 000012
【図１２】
0005492265.tif 000013
【図１３】
0005492265.tif 000014
【図１４】
0005492265.tif 000015